(57)【要約】【課題】口金４内に内蔵された中駒２に芯ホルダー３を２色成形あるいはインサート成形によって一体に構成する。したがって、中駒２に芯ホルダー３が簡単にかつ低コストで取り付けられる。また、芯ホルダー３の芯保持力が安定し、常に適度の保持力で芯５を保持することができるシャープペンシルを提供する。【解決手段】中駒２の後部を撓み可能に構成するとともに、該後部に芯ホルダー３を２色成形あるいはインサート成形により一体に構成する。【選択図】        図１
2006218824.tif 000002
【特許請求の範囲】
【請求項１】
口金内に内蔵された中駒に芯ホルダーを取り付けたシャープペンシルにおいて、中駒の後部を撓み可能に構成するとともに、該後部にゴム等の軟質物質からなる芯ホルダーを２色成形あるいはインサート成形により一体に構成したことを特徴とするシャープペンシル。
【請求項２】
口金内に中駒を長手方向に摺動可能に内蔵したことを特徴とする請求項１記載のシャープペンシル。
【請求項３】
芯ホルダーをシリコーンゴム選択接着材料により構成したことを特徴とする請求項１又は２記載のシャープペンシル。
【発明の詳細な説明】
【技術分野】
【０００１】
本発明は、口金内に内蔵された中駒に２色成形あるいはインサート成形により芯ホルダーを一体に構成したシャープペンシルに関する。
【背景技術】
【０００２】
従来、口金の挿通孔に摺動可能に嵌挿したスライダー内に、芯を摩擦的に保持できるよう芯保持体が設けられ、この芯保持体として、フロロージメチル共重合シリコーンゴムを用いて、内面形状が６点リブ形状のフロロージメチル共重合シリコーン製芯保持体とスライダーを、いわゆる２色成形と称される成形方法で形成するシャープペンシルが知られている。また、芯保持体として、メチルフルオロアルキル系シリコーンゴムを用いて、内面形状が５点スリット形状のフロロージメチル混合シリコーン製芯保持体とスライダーを、いわゆるインサート成形と称される成形方法で形成するシャープペンシルが知られている。（特許文献１参照）
【特許文献１】特開２００３−３９８８３号公報（段落００２０、段落００２３、段落００２７）
【発明の開示】
【発明が解決しようとする課題】
【０００３】
上記したシャープペンシルは、２色成形あるいはインサート成形でスライダーの内面に芯保持体が密着されており、芯保持体が外側に拡がることができず、芯を保持する力が強すぎてしまう課題が生じた。したがって、芯保持力の内面形状を６点リブ形状にしたり５点スリット形状にして適度の保持力を設定しなければならなかった。しかし、芯保持体の内面形状を６点リブ形状にしたり５点スリット形状にする加工は非常に生産性が悪くなるとともに、芯保持力が安定しないという課題が生じるものであった。
【課題を解決するための手段】
【０００４】
本発明は、口金内に内蔵された中駒に芯ホルダーを取り付けたシャープペンシルにおいて、中駒の後部を撓み可能に構成するとともに、該後部に芯ホルダーを２色成形あるいはインサート成形により一体に構成したことを第１の要旨とする。
【０００５】
また、口金内に中駒を長手方向に摺動可能に内蔵したことを第２の要旨とする。
【０００６】
更に、芯ホルダーを選択接着性シリコーンにより構成したことを第３の要旨とする。
【発明の効果】
【０００７】
本発明のシャープペンシルは、中駒に芯ホルダーが簡単にかつ低コストで取り付けられるとともに、芯ホルダー内に芯が挿入された時、中駒の後部が撓んで芯ホルダーが外側に拡がるので、芯ホルダーの芯保持力が安定し、常に適度の保持力で芯を保持することができる利点がある。
【発明を実施するための最良の形態】
【０００８】
中駒の後部を撓み可能に構成するとともに、中駒の後部にゴム等の軟質物質からなる芯ホルダーを２色成形あるいはインサート成形により一体に構成することにより、中駒に簡単に取り付けられ、かつ確実に芯を保持する芯ホルダーを有したシャープペンシルを実現した。
【実施例１】
【０００９】
図１および図２により本発明の実施例１のシャープペンシルを説明する。尚、図１の左側を前方とし、右側を後方とする。先ず、ステンレスパイプからなる芯ガイドパイプ１を前部に圧入固着した中駒２をポリカーボネート、ポリブチレンテレフタレート、ポリフェニレンオキシド、ナイロン６、ナイロン６６、ポリフタルアミド等の樹脂で形成し、この中駒２の後部を円周方向等間隔に３個の弾性片２Ａで形成する。この中駒２の後部に２色成形あるいはインサート成形により芯ホルダー３を形成する。この芯ホルダー３は、ゴム等の軟質物質で構成されるが好ましくは液状シリコーンゴム選択接着材料（信越化学工業（株）製あるいは東レダウコーニングシリコン（株）製）を用いる。
【００１０】
この中駒２を口金４内に挿入し、芯ガイドパイプ１を口金４の先端より突出させるとともに、中駒２の弾性片２Ａに形成した突部２Ｂを口金４の内面に適度の力で摩擦接触させる。この摩擦力は弾性片２Ａが内側から芯ホルダー３により弾発されて得られるので、長期間に渡って安定して得られるものである。尚、この中駒２の突部２Ｂと口金４の内面の摩擦力は、芯ホルダー３が芯５を保持する保持力よりも強く設定される。また、芯ホルダー３内に芯５が挿通された場合には、芯ホルダー３が若干拡げられるが、この時、中駒２の弾性片２Ａも外側に撓むので必要以上に芯ホルダー３による芯保持力は大きくならず、常に適度の保持力で芯５を保持することができる。
【００１１】
次に、チャック６、締具７、固定具８、スプリング９、コネクター１０および芯タンク１１からなる機構部を軸筒１２の前方より挿入し、軸筒１２の前部に固定具８の後部を挿入する。この軸筒１２の雄ネジ部に前記口金４の雌ネジ部を螺合し、リブ４Ａの段部と軸筒１２の前端により固定具８を挟持してノック式のシャープペンシルを構成する。
【実施例２】
【００１２】
図３および図４により本発明の実施例２を説明する。尚、図１と同一の部材は同一の符号を付してその説明を省略する。先ず、芯ガイドパイプ１を前部に圧入固着した中駒１０２をポリカーボネート、ポリブチレンテレフタレート、ポリフェニレンオキシド、ナイロン６、ナイロン６６、ポリフタルアミド等の樹脂で形成し、この中駒１０２の後部を円周方向等間隔に３個の弾性片１０２Ａで形成する。この中駒１０２の後部に２色成形あるいはインサート成形により芯ホルダー１０３を形成する。この芯ホルダー１０３は、ゴム等の軟質物質で構成されるが好ましくは液状シリコーンゴム選択接着材料（信越化学工業（株）製あるいは東レダウコーニングシリコン（株）製）を用いる。
【００１３】
この中駒１０２を口金４内に挿入し、芯ガイドパイプ１を口金４の先端より突出させるとともに、中駒１０２の弾性片１０２Ａの間から突出した芯ホルダー１０３の突部１０３Ａを口金４の内面に適度の力で摩擦接触させる。尚、この芯ホルダー１０３の突部１０３Ａと口金４の内面の摩擦力は、芯ホルダー１０３が芯５を保持する保持力よりも強く設定される。また、芯ホルダー１０３内に芯５が挿通された場合には、芯ホルダー１０３が若干拡げられるが、この時、中駒１０２の弾性片１０２Ａも外側に撓むので必要以上に芯ホルダー１０３による芯保持力は大きくならず、常に適度の保持力で芯５を保持することができる。
【産業上の利用可能性】
【００１４】
中駒に芯ホルダーが２色成形あるいはインサート成形により一体に構成され、しかも中駒の後部が芯ホルダーの拡がりとともに撓むことができるので、適度の芯保持力が得られる芯ホルダーを簡単に形成することができるシャープペンシルに適用できる。
【図面の簡単な説明】
【００１５】
【図１】本発明の実施例１のシャープペンシルを示す主要部部分断面図である。（実施例１）
【図２】図１のＡ−Ａ線を示す拡大断面図である。（実施例１）
【図３】本発明の実施例２のシャープペンシルを示す主要部平面図である。（実施例２）
【図４】図３のＡ−Ａ線を示す拡大断面図である。（実施例２）
【符号の説明】
【００１６】
２  中駒
３  芯ホルダー
４  口金
１０２  中駒
１０３  芯ホルダー
【図１】
2006218824.tif 000003
【図２】
2006218824.tif 000004
【図３】
2006218824.tif 000005
【図４】
2006218824.tif 000006